(57)【要約】【課題】  耐火性能に優れた木製柱の耐火被覆構造を提供する。【解決手段】  木製柱１０の周囲を覆うように設けられた複数の板状の軽量気泡コンクリート系部材２０が、木ねじ又は金属製ボルトなどの結合手段３０によって緊結されている。この軽量気泡コンクリート系部材２０の表面側には、更に化粧板４０が釘又はねじなどの固定手段４１を用いて該軽量気泡コンクリート系部材２０に取り付けられていてもよい。【選択図】  図２
2017198005.tif 000002
【特許請求の範囲】
【請求項１】
木製柱の周囲を覆うように設けられた複数の板状の軽量気泡コンクリート系部材が、結合手段によって緊結されていることを特徴とする木製柱の耐火被覆構造。
【請求項２】
前記軽量気泡コンクリート系部材の表面側に設けられた化粧板が釘又はねじを用いて該軽量気泡コンクリート系部材に取り付けられていることを特徴とする、請求項１に記載の木製柱の耐火被覆構造。
【発明の詳細な説明】
【技術分野】
【０００１】
本発明は、木造建築物に使用される木製柱に板状の軽量気泡コンクリート系部材を使用した耐火被覆構造に関する。
【背景技術】
【０００２】
木製柱の耐火被覆構造には、いくつかの方法が提案されている。例えば、図１に示すように木製柱１の周りに、被覆材として石膏ボード等の板状耐火材２を１層だけ設けたり、該板状耐火材２を複数層に重ね張りしたりして、耐火性を確保する施工が行われている。
【発明の概要】
【発明が解決しようとする課題】
【０００３】
しかしながら、石膏ボードの留め付け材は木製柱に直接留め付けられるため、火災時には留め付け材がいわゆる熱橋となって木製柱に伝熱し、耐火性能上の問題が生ずることがあった。すなわち、火災時に熱せられた石膏ボードの熱が留め付け材を経て木製柱に伝熱するため、木製柱本体は断熱されているにもかかわらず、その留め付け部が燃焼開始温度よりも高温になって燃焼し始め、構造部材としての健全性を維持できなくなることがあった。また、木製柱の燃焼開始温度は石膏ボードの耐火温度よりも低いので、一般的な耐火被覆が鋼製梁に施されていても、鋼製梁からの伝熱によって木製柱が燃焼してしまうおそれがある。
【０００４】
更に、石膏ボードは、所望の耐火時間に応じて複数層を重ね張りする必要があるため、施工に手間がかかる上、上に重ねる石膏ボードの目地はその下の石膏ボードの目地からずらす必要があるため、面倒な割付け作業が必要になる。また、化粧材としての仕上げ材を石膏ボード表面に留め付ける場合、化粧材は石膏ボードに固定するのは困難なため、その留め付け材を木製柱にまで貫通させる必要があり、この場合も被覆材の耐火性能に問題が生じるおそれがある。
【０００５】
本発明は上記した従来の耐火被覆材の問題点に鑑みてなされたものであり、耐火性能に優れた木製柱の耐火被覆構造を提供することを目的としている。
【課題を解決するための手段】
【０００６】
上記目的を達成するため、本発明の木製柱の耐火被覆構造は、木製柱の周囲を覆うように設けられた複数の板状の軽量気泡コンクリート系部材が、結合手段によって緊結されていることを特徴としている。
【発明の効果】
【０００７】
本発明によれば、木製柱の耐火被覆構造の耐火性能を高めることが可能になる。
【図面の簡単な説明】
【０００８】
【図１】従来の木製柱の耐火被覆構造の斜視図である。
【図２】本発明に係る木製柱の耐火被覆構造の一具体例の斜視図である。
【図３】本発明の木製柱の耐火被覆構造の緊結方法の一具体例を示す断面図である。
【図４】本発明の木製柱の耐火被覆構造の緊結方法の他の具体例を示す断面図である。
【図５】図３の耐火被覆構造に化粧版を設けた場合の例を示す断面図である。
【発明を実施するための形態】
【０００９】
軽量気泡コンクリートは、原料スラリーを所定の型枠内に流し込み、所定の硬さの半可塑状態に固まったところで型枠を外し、その半可塑状態の軽量気泡コンクリートをピアノ線等のワイヤにより所定の寸法に切断した後、オートクレーブで蒸気養生することで作製することができる。このようにして得られる軽量気泡コンクリートは軽量で耐火性、断熱性及び施工性に優れているため、鉄骨構造の建築物の壁、屋根、床などの建築材料のみならず、木造構造の建築物においても使用することができる。
【００１０】
本発明の一具体例の木製柱の耐火被覆構造は、かかる軽量気泡コンクリート系部材を被覆材として用いるものであり、具体的には、図２に示すように四角柱形状の木製柱１０の周囲を４枚の板状の軽量気泡コンクリート系部材（以降、ＡＬＣ板材とも称する）２０で覆った構造になっている。これら４枚のＡＬＣ板材２０は、木製柱１０を一方向から挟んで対向する１対の第１ＡＬＣ板材２０ａと、これら１対の第１ＡＬＣ板材２０ａが挟む方向とは直交する方向から木製柱１０を挟んで対向する１対の第２ＡＬＣ板材２０ｂとで構成される。
【００１１】
第１ＡＬＣ板材２０ａは、それらが対向する側の木製柱１０の幅と同じ幅を有しているのに対して、第２ＡＬＣ板材２０ｂは、それらが対向する側の木製柱の幅及び２枚の第１ＡＬＣ板材２０ａの厚みの合計に等しい幅を有している。これにより、木製柱１０及びこれを覆う４枚のＡＬＣ板材２０は、上から見た時に全体として矩形になっている。このように木製柱１０の周囲を全面に亘って覆う４枚のＡＬＣ板材２０は、第２ＡＬＣ板材２０ｂの幅方向両端部を貫通する木ネジ又はＡＬＣ用ネジ又は金属製のボルト・ナット等の結合手段３０によって緊結されている。
【００１２】
具体的には、図３に示すように、例えば第２ＡＬＣ板材２０ｂの端部において表面側から木ネジ３１を貫通させてその先端部を第１ＡＬＣ板材２０ａの一端面側に螺合することで４枚のＡＬＣ板材２０の緊結を行うことができる。あるいは図４に示すように、第１ＡＬＣ板材２０ａとこれを両端面側から挟み込む２つの第２ＡＬＣ板材２０ｂとをまとめて貫通するように第２ＡＬＣ板材２０ｂの表面側から金属製のボルト３２を挿入し、その先端部をナット３３で螺合することで緊結してもよい。いずれの場合においても、結合手段３０としての木ネジ３１やボルト３２が直接木製柱１０に接触しないので、前述した熱橋によって耐火性能が損なわれるのを防ぐことができる。
【００１３】
本発明の一具体例の木製柱の耐火被覆構造では、第１ＡＬＣ板材２０ａの両端面と第２ＡＬＣ板材２０ｂとの当接面にセメント系・水ガラス系・炭酸カルシウムを混入した樹脂系などの耐火目地剤３４を塗布してもよい。また、第２ＡＬＣ板材２０ｂの両端部のネジ穴は、木ネジ等の結合手段３０を挿入した後にセメント系・水ガラス系・炭酸カルシウムを混入した樹脂系などの補修剤３５で穴うめするのが好ましい。これら耐火目地剤や補修剤を用いることで、耐火被覆構造の耐火性能をより一層高めることができる。
【００１４】
また、本発明の一具体例の木製柱の耐火被覆構造では、上記のようにして取り付けた軽量気泡コンクリート板材２０の表側に、更に化粧板４０などで覆ってもよい。これにより、軽量気泡コンクリート板材２０を隠すことができるので意匠性が向上する。この化粧板４０の取り付け方法としては、例えば図５に示すように、釘やねじなどの固定手段４１を化粧板４０に貫通させてその先端部を軽量気泡コンクリート板材２０に螺合して固定するのが好ましい。この場合も固定手段４１としての釘やねじが直接木製柱１０に接触しないので、耐火性能が損なわれるのを防ぐことができる。
【００１５】
以上説明したように、本発明の耐火被覆構造は、板状の軽量気泡コンクリート系部材による木製柱の被覆に際して、当該木製柱に木ネジなどの結合手段を接触させないため、万一、火災が生じた際にも、外部の熱が木製柱に伝わりにくく、よって高い耐火性を確保することができる。
【符号の説明】
【００１６】
１      木製柱
２      板状耐火材
１０    木製柱
２０    板状の軽量気泡コンクリート系部材（ＡＬＣ板材）
２０ａ  第１ＡＬＣ板材
２０ｂ  第２ＡＬＣ板材
３０    結合手段
３１    木ネジ
３２    金属製ボルト
３３    ナット
３４    耐火目地剤
３５    補修剤
４０    化粧板
４１    固定手段
【図１】
2017198005.tif 000003
【図２】
2017198005.tif 000004
【図３】
2017198005.tif 000005
【図４】
2017198005.tif 000006
【図５】
2017198005.tif 000007